(57)【要約】【課題】鍔部付き帽子のクラウンの外周に、装飾が施されたデザイン本体部を配置しつつ、当該帽子の後部や前方部等で簡単且つ確実に取着できる装飾体を提供する。【解決手段】円弧状バンド２の係止手段３は、当該円弧状バンド２の後端部において対向する左端部３０と右端部３１のそれぞれがフック状の係止部３Ａ、３Ｂに形成されて成り、帽子１の後部１０で調節バンド１３による長さ調節を可能にする切込部１２に対し、前記係止手段３の左右の各フック状係止部３Ａ、３Ｂが取着又は離脱されることにより、当該装飾体が帽子１の後部１０に着脱自在に構成されている。【選択図】       図１
0003113854.tif 000002
【実用新案登録請求の範囲】
【請求項１】
装飾的な形状・模様の各種のデザインが施されたデザイン本体部が、係止手段付き円弧状バンドに取り付けられて成る帽子の装飾体であって、
前記円弧状バンドが帽子のクラウン部の外周に配置された状態で、前記円弧状バンドに設けられた係止手段により、帽子のクラウン部に対し着脱自在に構成されていることを特徴とする帽子に着脱自在な装飾体。
【請求項２】
装飾的な形状・模様の各種のデザインが施されたデザイン本体部が、係止手段付き円弧状バンドに取り付けられて成る帽子の装飾体であって、
前記円弧状バンドの係止手段は、当該円弧状バンドの両端部において対向する左端部と右端部のそれぞれが、フック状の係止部に形成されて成り、帽子の後部で調節バンドによる長さ調節を可能にする切込部に対し、帽子のクラウン部の外周に配置された円弧状バンドの前記係止手段の左右の各フック状係止部が取着又は離脱されることにより、当該装飾体が帽子のクラウン部の後部に着脱自在に構成されていることを特徴とする帽子に着脱自在な装飾体。
【請求項３】
円弧状バンドの後部に、長さ調節用チェーンの基端が取り付けられており、当該長さ調節用チェーンの他端が帽子の後部の調節バンドに固定されていることを特徴とする、請求項１又は２に記載した帽子に着脱自在な装飾体。
【請求項４】
円弧状バンドの係止手段は、その対向する左端部又は右端部のいずれかに、長さ調節用チェーンの基端が取り付けられており、当該長さ調節用チェーンの他端が前記左端部又は右端部のいずれかのフック状係止部に対し着脱自在に構成されて成ることを特徴とする、請求項１又は２に記載した帽子に着脱自在な装飾体。
【請求項５】
円弧状バンドの係止手段は、当該円弧状バンドの後部における左端部と右端部において小孔を有する突出部が設置され、フック部と止め金部を両端に有する所定長さの長さ調節棒体の当該フック部と止め金部が前記左右の突出部の小孔に対し着脱自在に構成されて成ることを特徴とする、請求項１又は２に記載した帽子に着脱自在な装飾体。
【請求項６】
円弧状バンドの係止手段は、当該円弧状バンドの両端部において対向する左端部と右端部のそれぞれがフック状の係止部に形成されて成り、帽子の前方部又側方部において、前記係止手段の左右の各フック状係止部同士が取着又は離脱されることにより、当該装飾体が帽子のクラウン部に対し着脱自在に構成されていることを特徴とする、請求項１に記載した帽子に着脱自在な装飾体。
【請求項７】
円弧状バンドの係止手段は、当該円弧状バンドの両端部において対向する左端部と右端部のいずれか一方がフック状の係止部に形成されて成り、帽子の前方部又側方部において、前記左右いずれか一方のフック状係止部が、そのフック状係止部に形成されていない前記左端部か右端部に直接取着又は離脱されることにより、当該装飾体が帽子のクラウン部に対し着脱自在に構成されていることを特徴とする、請求項１に記載した帽子に着脱自在な装飾体。
【請求項８】
円弧状バンドの内側に、上部開口の内側フック部が設けられており、前記内側フック部が、帽子のクラウン部の下端縁に対し着脱自在に構成されていることを特徴とする、請求項１〜７のいずれか１項に記載した帽子に着脱自在な装飾体。
【請求項９】
デザイン本体部及び／又は円弧状バンドに施されたデザインが、王冠や羽根、植物、動物、文字、数字、十字架、ハート形、星座、干支、太陽、月、星、雷形状、雲形状、天然石、イミテーション石、紋章、馬具、貝殻、ヒトデ、その他の周知又は創作の形状・模様であることを特徴とする、請求項１〜８のいずれか１項に記載した帽子に着脱自在な装飾体。
【請求項１０】
デザイン本体部は、ピン止め又はネジ止めにより円弧状バンドに対し固定されて成ることを特徴とする、請求項１〜９のいずれか１項に記載した帽子に着脱自在な装飾体。
【請求項１１】
円弧状バンドの前方部に取り付けられたデザイン本体部が、帽子の上を被覆し後部に及ぶ大きさ・形状に形成されており、当該デザイン本体部の後部が円弧状バンドの後部に固定されて成ることを特徴とする、請求項１〜１０のいずれか１項に記載した帽子に着脱自在な装飾体。
【請求項１２】
円弧状バンドに、デザイン本体部に施されたデザインに関連するデザイン又は異なるデザインが施された付属デザイン体が取り付けられていることを特徴とする、請求項１〜１１のいずれか１項に記載した帽子に着脱自在な装飾体。
【請求項１３】
円弧状バンドに、装飾用チェーンの端部が着脱自在に係止され、又はイヤリング類の小物が着脱自在に付設され、又は耳に引掛けられて固定する引掛け具が着脱自在に付設されていることを特徴とする、請求項１〜１２のいずれか１項に記載した帽子に着脱自在な装飾体。
【請求項１４】
円弧状バンドの外側に、上部開口の外側フック部が設けられており、前記外側フック部に、メガネのつる部若しくは装飾用チェーンやイヤリング類の小物を引掛け自在に構成されていることを特徴とする、請求項１〜１３のいずれか１項に記載した帽子に着脱自在な装飾体。
【請求項１５】
円弧状バンドに、デザイン本体部やイヤリング類の小物を着脱自在な小孔、又は通孔を有する突出部が複数形成されていることを特徴とする、請求項１〜１４のいずれか１項に記載した帽子に着脱自在な装飾体。
【請求項１６】
円弧状バンド及び／又はデザイン本体部の全体又は一部が、磁性を帯びて成ることを特徴とする、請求項１〜１５のいずれか１項に記載した帽子に着脱自在な装飾体。
【請求項１７】
円弧状バンドに１本又は複数本の装飾用チェーンが架け渡されており、当該円弧状バンドがその係止手段により帽子の後部に取着された状態で、前記装飾用チェーンが鍔部を有する帽子の当該鍔部の上又は帽子の下方で揺動自在に構成されていることを特徴とする、請求項１〜１６のいずれか１項に記載した帽子に着脱自在な装飾体。
【請求項１８】
円弧状バンドが鍔部を有する帽子のクラウン部の外周に着脱自在であると共に、前記鍔部の外周縁と略同じ又は短い長さの線材で形成された鍔部アクセサリーが、前記帽子の鍔部の外周縁に着脱自在に構成されていることを特徴とする、請求項１〜１７のいずれか１項に記載した帽子に着脱自在な装飾体。
【請求項１９】
円弧状バンドが鍔部を有する帽子のクラウン部の外周に着脱自在であると共に、前記鍔部の上面に載置され且つ鍔部の外周縁に係止可能な端部を有する所定形状・大きさの鍔部アクセサリーが、前記帽子の鍔部の上面に着脱自在に構成されていることを特徴とする、請求項１〜１８のいずれか１項に記載した帽子に着脱自在な装飾体。
【考案の詳細な説明】
【技術分野】
【０００１】
本考案は、特に鍔部付き帽子のクラウンの前方部に、ティアラ状等の装飾が施されたデザイン本体部を配置しつつ、当該帽子のクラウン部への着脱を自由自在に行える帽子に着脱自在な装飾体の技術分野に関する。
【背景技術】
【０００２】
帽子は、ファッション性や機能性があり、近年、低年層から中高年層まで幅広くその需要は増加している。しかし、帽子のデザインは製作の際に決定されており、帽子を購入した後に自分の好みや使用場面に応じて当該帽子のデザイン・イメージを変更したり、チャームポイントとなるデザインを新たに付加して使用することはできない。
【０００３】
また、王冠をモチーフとしてデザインされたティアラは、結婚式で好まれて使用されることが多いが、このティアラを日常生活に上手く溶け込ませて使用する例は現在のところ見当たらない。
【０００４】
この点、実開平７−１６７０１号公開公報には、任意に折り曲げ可能な複数本の針金により横長に編まれ、その編み幅を額中央部の位置を最大とし、該位置を中心として頭部を巻くように左右にいくにしたがい縮小し、該左右の各端部を１本に纏めてなる基台と、該基台に装着された１ないし複数本の水引きを編んで形成した複数種類の模様の複数の飾りおよび該飾りに取り付けたアクセサリとからなる水引きティアラが開示されている。
【特許文献１】実開平７−１６７０１号公開公報
【考案の開示】
【考案が解決しようとする課題】
【０００５】
前記実開平７−１６７０１号公開公報に記載された水引きティアラは、依然として自分の髪の毛に刺して使用する上、用途としては主に冠婚葬祭向きであり、普段の自分のライフスタイルに合った気楽な使用には適さない。もちろん、帽子に対しその水引きティアラを着脱できるものではない。
【０００６】
したがって、本考案が解決しようとする課題は、帽子、とりわけ鍔部付きの帽子のクラウン部の外周に、ティアラ状等の装飾が施されたデザイン本体部を配置しつつ、当該帽子の後部や前方部等で簡単且つ確実に取着でき、自分の好みに応じたチャームポイントとなる装飾体を事後的に自由に取着できて日常生活の中でファッション性や個性化を高められ、また変更使用や不要の際の帽子からの離脱も簡単に行えて使い勝手に優れた帽子に着脱自在な装飾体を提供することにある。
【課題を解決するための手段】
【０００７】
上記課題を解決するための手段として、請求項１記載の考案の帽子に着脱自在な装飾体は、装飾的な形状・模様の各種のデザイン４が施されたデザイン本体部５が、係止手段３付きの円弧状バンド２に取り付けられて成る装飾体であって、前記円弧状バンド２が帽子１のクラウン部１ｄの外周に配置された状態で、前記円弧状バンド２に設けられた係止手段３により、帽子１の後部１０に対し着脱自在に構成されていることを特徴とする。
【０００８】
請求項２記載の考案の帽子に着脱自在な装飾体は、装飾的な形状・模様の各種のデザイン４が施されたデザイン本体部５が、係止手段３付きの円弧状バンド２に取り付けられて成る装飾体であって、前記円弧状バンド２の係止手段３は、当該円弧状バンド２の後端部において対向する左端部３０と右端部３１のそれぞれが、フック状の係止部３Ａ、３Ｂに形成されて成り、帽子１の後部１０で調節バンド１３による長さ調節を可能にする切込部１２に対し、帽子１のクラウン部１ｄの外周に配置された円弧状バンド２の前記係止手段３の左右の各フック状係止部３Ａ、３Ｂが取着又は離脱されることにより、当該装飾体が帽子１のクラウン部１ｄの後部１０に着脱自在に構成されていることを特徴とする。
【０００９】
請求項３記載の考案の帽子に着脱自在な装飾体は、前記円弧状バンド２の後部２０に、長さ調節用チェーン６の基端６ａが取り付けられており、当該長さ調節用チェーン６の他端６ｂが帽子１の後部１０の調節バンド１３に固定されていることを特徴とする。
【００１０】
請求項４記載の考案の帽子に着脱自在な装飾体は、前記円弧状バンド２の係止手段３に関し、その対向する左端部３０又は右端部３１のいずれかに、長さ調節用チェーン６の基端６ａが取り付けられており、当該長さ調節用チェーン６の他端６ｂが前記左端部３０又は右端部３１のいずれかのフック状係止部３Ａ、３Ｂに対し着脱自在に構成されて成ることを特徴とする。
【００１１】
請求項５記載の考案の帽子に着脱自在な装飾体は、前記円弧状バンド２の係止手段３に関し、円弧状バンド２の後部２０における左端部３０と右端部３１において小孔７ａ、７ａを有する突出部７、７が各々設置され、フック部８ａと止め金部８ｂを両端に有する所定長さの長さ調節棒体８の当該フック部８ａと止め金部８ｂが前記左右の突出部７、７の小孔７ａ、７ａに対し着脱自在に構成されて成ることを特徴とする。
【００１２】
請求項６記載の考案の帽子に着脱自在な装飾体は、前記円弧状バンド２の係止手段３に関し、当該円弧状バンド３の両端部において対向する左端部３０と右端部３１のそれぞれがフック状の係止部３Ａ、３Ｂに形成されて成り、帽子１の前方部１１又側方部において、前記係止手段３の左右の各フック状係止部３Ａ、３Ｂ同士が取着又は離脱されることにより、当該装飾体が帽子１のクラウン部１ｄに対し着脱自在に構成されていることを特徴とする。
【００１３】
請求項７記載の考案の帽子に着脱自在な装飾体は、前記円弧状バンド２の係止手段３に関し、当該円弧状バンド２の両端部において対向する左端部３０と右端部３１のいずれか一方がフック状の係止部３Ａ又は３Ｂに形成されて成り、帽子１の前方部１１又側方部において、前記左右いずれか一方のフック状係止部３Ａ又は３Ｂが、そのフック状係止３Ａ又は３Ｂ部に形成されていない前記左端部３０か右端部３１に直接取着又は離脱されることにより、当該装飾体が帽子１のクラウン部１ｄに対し着脱自在に構成されていることを特徴とする。
【００１４】
請求項８記載の考案の帽子に着脱自在な装飾体は、前記円弧状バンド２の内側２７に、上部開口の内側フック部２６が設けられており、前記内側フック部２６が、帽子１のクラウン部１ｄの下端縁１ｅに対し着脱自在に構成されていることを特徴とする。
【００１５】
請求項９記載の考案の帽子に着脱自在な装飾体は、前記デザイン本体部５及び／又は円弧状バンド２に施されたデザイン４が、王冠や羽根、植物、動物、文字、数字、十字架、ハート形、星座、干支、太陽、月、星、雷形状、雲形状、天然石、イミテーション石、紋章、馬具、貝殻、ヒトデ、その他の周知又は創作の形状・模様であることを特徴とする。
【００１６】
請求項１０記載の考案の帽子に着脱自在な装飾体は、前記デザイン本体部５が、ピン止め（１９ａ）又はネジ止め（１９ｂ）により円弧状バンド２に対し固定されて成ることを特徴とする。
【００１７】
請求項１１記載の考案の帽子に着脱自在な装飾体は、前記円弧状バンド２の前方部２５に取り付けられたデザイン本体部５が、帽子１の上を被覆し後部１０に及ぶ大きさ・形状に形成されており、当該デザイン本体部５の後部５０が円弧状バンド２の後部２０に固定されて成ることを特徴とする。
【００１８】
請求項１２記載の考案の帽子に着脱自在な装飾体は、前記円弧状バンド２に、デザイン本体部５に施されたデザイン４に関連するデザイン又は異なるデザインが施された付属デザイン体４０が取り付けられていることを特徴とする。
【００１９】
請求項１３記載の考案の帽子に着脱自在な装飾体は、前記円弧状バンド２に、装飾用チェーン９の端部９ａが着脱自在に係止され、又はイヤリング類の小物１４が着脱自在に付設され、又は耳１５に引掛けられて固定する引掛け具１６が着脱自在に付設されていることを特徴とする。
【００２０】
請求項１４記載の考案の帽子に着脱自在な装飾体は、前記円弧状バンド２の外側２８に上部開口の外側フック部１７が設けられており、前記外側フック部１７に、メガネ１８のつる部１８ａ若しくは装飾用チェーン９やイヤリング類の小物１４を引掛け自在に構成されていることを特徴とする。
【００２１】
請求項１５記載の考案の帽子に着脱自在な装飾体は、前記円弧状バンド２に、デザイン本体部５やイヤリング類の小物１４を着脱自在な小孔２２、又は通孔２３を有する突出部２４が複数形成されていることを特徴とする。
【００２２】
請求項１６記載の考案の帽子に着脱自在な装飾体は、前記円弧状バンド２及び／又はデザイン本体部５の全体又は一部が、磁性を帯びて成ることを特徴とする。
【００２３】
請求項１７記載の考案の帽子に着脱自在な装飾体は、前記円弧状バンド２に１本又は複数本の装飾用チェーン９が架け渡されており、当該円弧状バンド２がその係止手段３により帽子１の後部１０に取着された状態で、前記装飾用チェーン９が鍔部１ａを有する帽子１の当該鍔部１ａの上又は帽子１の下方で揺動自在に構成されていることを特徴とする。
【００２４】
請求項１８記載の考案の帽子に着脱自在な装飾体は、前記円弧状バンド２が鍔部１ａを有する帽子１のクラウン部１ｄの外周に着脱自在であると共に、前記鍔部１ａの外周縁１ｂと略同じ又は短い長さの線材で形成された鍔部アクセサリー１ｆが、前記帽子１の鍔部１ａの外周縁１ｂに着脱自在に構成されていることを特徴とする。
【００２５】
請求項１９記載の考案の帽子に着脱自在な装飾体は、前記円弧状バンド２が鍔部１ａを有する帽子１のクラウン部１ｄの外周に着脱自在であると共に、前記鍔部１ａの上面１ｃに載置され且つ鍔部１ａの外周縁１ｂに係止可能な端部１ｈを有する所定形状・大きさの鍔部アクセサリー１ｍが、前記帽子１の鍔部１ａの上面１ｃに着脱自在に構成されていることを特徴とする。
【考案の効果】
【００２６】
請求項１〜１９の本考案の帽子に着脱自在な装飾体は、装飾的な形状・模様の各種のデザインが施されたデザイン本体部が、円弧状バンドに取り付けられて成り、前記円弧状バンドが帽子のクラウン部の外周に配置された状態で、円弧状バンドの端部に設けられた係止手段により、帽子のクラウン部に対し着脱自在に構成されているので、鍔部付き帽子を購入した後に、自分の好みやシチュエーションに応じたチャームポイントとなる装飾体を、新たに自由に帽子に付加したり、変更使用ができ、他人の帽子にはない特別な装飾が実現され、他人の帽子と異なる個性化を高められる。
【００２７】
その上、ファッション性を有しつつ、日常生活の中に難なく帽子の装飾体を使用できる。さらに、こうした装飾体を帽子に付加した使用によって、帽子購入者の満足度が高められると共に、帽子の普及と需要拡大に多大に貢献する。
【００２８】
特に係止手段を、円弧状バンドの左右両端部のフック状係止部として形成すれば、帽子の後部で調節バンドによる長さ調節を可能にする切込部に対し、係止手段の左右の各フック状係止部が取着又は離脱することにより、または帽子の前方部で両フック状係止部同士を直接取着又は離脱して、当該装飾体の帽子に対する簡単で確実な着脱が図られる。
【００２９】
或いは、フック状係止部を円弧状バンドの左右いずれか一方の端部に形成して他端部に着脱できる簡便な実施も可能であり、使用勝手に優れる。
【００３０】
しかも、当該装飾体の円弧状バンドに、装飾用チェーンやイヤリングその他の小物を適宜取り付けて実施すれば、帽子の前方部や両サイドで当該チェーンやイヤリング等の小物がゆらゆらと揺れ動き、より一層周囲の注目を浴びて帽子を引き立たせる。
【考案を実施するための最良の形態】
【００３１】
本考案に係る帽子に着脱自在な装飾体の好適な実施形態を、以下図面にしたがって説明する。当該装飾体は、帽子に対し後付けできる、すなわち事後的に取り付けられる帽子の装飾体である。大別して帽子の後部で着脱する後部着脱タイプ（図１〜図１８）と、帽子の前方部で着脱する前方部着脱タイプ（図１９〜図２２）の２種類の装飾体に分けられる。なお、前方部着脱タイプは、帽子の側面で着脱することも可能であるが、前方部着脱タイプと同様に実施できるので、その図示と説明は省略する。
【００３２】
図１は、本実施形態の帽子に着脱自在な装飾体の基本的構成を示している。当該装飾体は、装飾的な形状・模様の各種のデザイン４が施されたデザイン本体部５が、円弧状バンド２の前方部２５に取り付けられて成るものである。デザイン本体部５は、円弧状バンド２に対し後付けされるほか、円弧状バンド２と一体的に形成する形態でも実施される。円弧状バンド２自体にデザイン４を施して実施することもできる訳である。
【００３３】
図示例の円弧状バンド２は、帽子１のクラウン部１ｄの下端部（下端縁１ｅのやや上部位置）外周の全周に架け渡る長さより若干短い金属製の線材が、湾曲状に形成されて成る。この円弧状バンド２の全長は、子供や大人（男女を問わず）の帽子１に使用できるものとして、５０〜６０ｃｍぐらいの長さで好適に実施される。また、円弧状バンド２の材質は、この金属製に限らず、合成樹脂製や革製、布製等の各種の材質で実施される。この円弧状バンド２の前方部２５に、デザイン本体部５が一体的に取り付けられている。そして、当該円弧状バンド２が帽子１のクラウン部１ｄの下端部外周に配置された状態で、円弧状バンド２に設けられた後述する係止手段３により、帽子１に対し着脱自在に構成されている（図１Ｂ参照）。
【００３４】
次に、図１〜図１８に示した後部着脱タイプの装飾体について、円弧状バンド２の係止手段３を中心に説明する。
【００３５】
図２は、この後部着脱タイプ装飾体の係止手段３の全体構成を示している。前記円弧状バンド２の後端部（同図２中の右側）において対向する左端部３０と右端部３１の各先端部分が、それぞれ内側に約１２０°〜１８０°ぐらいに折曲されて成る左側のフック状の係止部３Ａと、右側のフック状の係止部３Ｂとして形成されている。
【００３６】
一方、鍔部１ａ付きの帽子１の後部１０においては、図１Ｂに示したように、当該帽子１の大きさを調節可能なように、クラウン部１ｄの後部下端縁１ｅが調節バンド１３として形成され、且つその調節バンド１３による長さ調節を可能にする四角く切込まれた切込部１２が形成されている。
【００３７】
したがって、帽子１のクラウン部１ｄの下端部外周に配置された円弧状バンド２の前記左側のフック状係止部３Ａと右側のフック状係止部３Ｂを、前記帽子１の後部１０の切込部１２の左側の縁１２ａと右側の縁１２ｂに対し、それぞれ引掛けるように取着することにより、当該装飾体を帽子１のクラウン部１ｄの下端外周に簡単に固定することができる。そして、円弧状バンド２の前方部２５に取り付けられたデザイン本体部５は、帽子１の前方部１１にほど良く配置される（図１Ａ）。
【００３８】
また、この帽子の装飾体を帽子１から取り外す場合は、前記切込部１２の左右の縁１２ａ、１２ｂに引掛けられた左側のフック状係止部３Ａと右側のフック状係止部３Ｂのいずれか一方を外方に引張ってやれば、他方のフック状係止部３Ｂ又は３Ａが切込部１２から容易に外れ、当該装飾体を帽子１のクラウン部１ｄから離脱させることができる。
【００３９】
当該円弧状バンド２には、図２に示したように、その内側２７に上部開口の内側フック部２６を複数設けて実施する形態が好ましい。前記内側フック部２６・・・が、帽子１のクラウン部１ｄの下端縁１ｅに対し着脱自在となっており、前記フック状係止部３Ａ、３Ｂによる帽子１への取着を補助する（図３参照）。また、当該帽子１の大きさより小さい頭の人に使用する場合、前記のフック状係止部３Ａ、３Ｂでは、帽子１の切込部１２の左右の縁１２ａ、１２ｂに引掛けることができない（図３）。そのような場合、当該内側フック部２６・・・を帽子１のクラウン部１ｄの下端縁１ｅに取着すれば、円弧状バンド２（装飾体）を帽子１に固定することができる。
【００４０】
或いはまた、図１Ｂに示したような長さ調節用チェーン６を利用した形態も好適である。すなわち、前記円弧状バンド２の後部２０に、約５ｃｍほどの長さ調節用チェーン６の基端６ａが取り付けられ、当該長さ調節用チェーン６の他端６ｂを前記帽子１の調節バンド１３の所望位置に固定することにより、前記フック状係止部３Ａ、３Ｂによる帽子１への取着を補助しつつ、円弧状バンド２の帽子１からの脱落が防止される。
【００４１】
図４は、後部着脱タイプ装飾体の異なる係止手段３の例を示している。
【００４２】
この係止手段３は、円弧状バンド２の左端部３０に、前記と同じような長さ調節用チェーン６（全長が約５ｃｍ）の基端６ａが取り付けられた構成とされている。右端部３１だけにフック状係止部３Ｂが形成されている。
【００４３】
よって、この長さ調節用チェーン６の他端６ｂが、右端部３１のフック状係止部３Ｂに対し着脱自在に構成されているので、帽子１の後部１０において余裕をもって固定することができる。但し、この長さ調節用チェーン６を、図示を省略した帽子１の側面や前方部１１に配置して実施することも可能である。
【００４４】
図５は、更に異なる係止手段３の例を示している。
【００４５】
この係止手段３は、まず円弧状バンド２の左端部３０と右端部３１の両方が共にフック状係止部に形成されていない代りに、各端部３０、３１の近傍位置において、小孔７ａを有する突出部７が各々設置されている。そして、フック部８ａと止め金部８ｂを両端に有する所定長さ（例えば約５ｃｍ）の長さ調節棒体８の当該フック部８ａと止め金部８ｂが、前記左右の突出部７、７の各小孔７ａ、７ａに対し着脱自在に構成されているので、前記同様、帽子１の後部１０で固定することができる。
【００４６】
当該長さ調節棒体８は、長さを異にするものを数種類用意しておけば、帽子１を被る人の頭や帽子１の大きさの相違に応じて適切な長さの当該長さ調節棒体８で即座に対応しつつ、帽子１に取着できる。なお、この長さ調節棒体８もやはり、図示を省略した帽子１の側面や前方部１１に配置してもよい。
【００４７】
図６と図７は、円弧状バンド２の異なる実施形態を示している。
【００４８】
この円弧状バンド２には、デザイン本体部５やイヤリング類の小物１４や装飾用チェーン９を着脱自在な小孔２２が、一定間隔おきに複数穿設して形成されている。よって、当該イヤリング１４の上端部の引き輪１４ａや装飾用チェーン９の両端部の引き輪９ａを、前記小孔２２に引掛けて簡単に係止でき、そうすることにより帽子１の鍔部１ａの上面１ｃで、複数のイヤリング１４や装飾用チェーン９・・・があらゆる方向に自由に揺れ動くものである（図８参照）。
【００４９】
また、この円弧状バンド２の裏面に、図７に示したような上下方向に通孔２３を有する突出部２４を複数形成する実施形態も採用可能である。クリップ状の係止具３２を前記突出部２４の通孔２３に下方から挿し込むことにより、その上部開口３３に、別設のティアラ状のデザイン本体部５（図１Ａ、図１８参照）を上方から挿し込んで当該円弧状バンド２に固定することができる。
【００５０】
さらに、図９に示した如く、円弧状バンド２に外側フック部１７を設けた形態も好適に実施される。つまり、前記円弧状バンド２の左右両側面の外側２８、２８に上部開口の外側フック部１７、１７がそれぞれ設けられて成る。したがって、当該外側フック部１７に、メガネ１８のつる部１８ａ若しくは装飾用チェーン９やイヤリング類の小物１４を引掛けることができる。なお、外側フック部１７は、前記小孔２２を利用して円弧状バンド２に取り付けてもよい（図８）。
【００５１】
前記小孔２２や外側フック部１７に引掛けた装飾用チェーン９は、図１０に図示の如く、当該チェーン９に様々な装飾を付加して、当該帽子１の鍔部１ａの上面１ｃに配置できる。のみならず、図９に図示したような帽子１の下方、具体的には帽子１を被る人間の顎の下方で、装飾用チェーン９が揺動自在となるようにすることも可能である。
【００５２】
図１１は、円弧状バンド２の異なる係止手段たる引掛け具の例を示している。図１１Ａは透明なゴム等の弾性体で成る引掛け具３４の例を示しており、その上端部を円弧状バンド２の内側に直接取り付けるほか、円弧状バンド２の前記小孔２２や外側フック部１７又は内側フック部２６を利用して結び付けてもよい（図示は省略）。そして、ぶら下がり状態の引掛け具３４の輪を耳１５の外周に引掛けて固定され、かくして円弧状バンド２の帽子１（クラウン部１ｄ）に対する取着が補助されている。
【００５３】
図１１Ｂは、金属製又は合成樹脂製でフック状に形成された引掛け具３５の例を示しており、その上端部が前記同様の手段で円弧状バンド２に取り付けられ、ぶら下がった当該フック状の引掛け具３５を耳１５の後方から引掛けて固定されている。
【００５４】
なお、上述した円弧状バンド２や、後述するデザイン本体部５の全体又は一部につき、磁性を帯びさせた形態で実施すれば、両者の磁力によりデザイン本体部５を円弧状バンド２に簡単に着脱できる。
【００５５】
以下、図１２〜図１８に示したデザイン本体部５のデザイン４のバリエーションについて説明する。但し、これらの図示例に限定されるものではなく、異なる王冠や羽根、植物、動物、文字、数字、十字架、ハート形、星座、干支、太陽、月、星、雷形状、雲形状、天然石、イミテーション石、紋章、馬具、貝殻、ヒトデ、その他の周知又は創作の各種の形状や模様で実施可能である。
【００５６】
デザイン本体部５の材質は、シルバー製（銀製）であるが、これに限るものではなく、金属・非金属を問わず合成樹脂製や布製などあらゆる材質で実施される。デザイン本体部５へのデザイン４の施し方は様々で、直接デザイン４を施したり、デザイン本体部５の表面５に刻設等によってデザイン４を形成することも可能である。なお、デザイン本体部５や上述の円弧状バンド２に、図示を省略した蛍光塗料や蓄光塗料、又はＬＥＤ等の発光体を施して実施することも可能であり、その場合、夜間に自発光して暗闇の周囲で、際立たせることができる。
【００５７】
図１２はデザイン本体部５に雷をモチーフにしたギザギザ形状のデザイン４を施した実施形態を示している。図１３は当該デザイン本体部５の円弧状バンド２への固定手段について示している。図１３Ａは、デザイン本体部５の裏面にピン１９ａが突設されており、円弧状バンド２の前記小孔２２等を利用して挿通されたピン１９ａに止め金具１９ａ’でピン止めされる例である。また図１３Ｂは、デザイン本体部５の裏面に雄ネジ１９ｂが突設されており、やはり円弧状バンド２の前記小孔２２等を利用してこの雄ネジ１９ｂを挿通し、小さなナット１９ｂ’でネジ止めされる例を示している。
【００５８】
図１４は大型のデザイン本体部５の実施形態を示している。このデザイン本体部５は、大型のギザギザ形状（雷形状）のデザイン４が施され、帽子１の上を前方部１１から全体的に被覆し後部１０に及ぶ大きさに形成されている。円弧状バンド２の前方部２５に前記ピン止め等の要領で取り付けられた当該大型デザイン本体部５の後部５０が、円弧状バンド２の後部２０に固定されている。
【００５９】
図１５は円弧状バンド２の前方面２５の中央で起立する星形状のデザイン４を施したデザイン本体部５の実施形態を示している。また、図１６は同様に円弧状バンド２の前方面２５の中央に起立する花模様のデザイン４を施したデザイン本体部５が取り付けられている。と共に、当該花模様のデザイン４に関連するデザイン（異なるデザインであってもよい）が施された付属デザイン体４０が、前記円弧状バンド２の小孔２２に複数取り付けられている。
【００６０】
図１７は円弧状バンド２の前方部２５の中央位置に、左右対称の２枚の羽根形状のデザイン４を施したデザイン本体部５の実施形態を示している。そしてこの場合、図１７Ｂに示したように、当該２枚の羽根の裏面に予め形成された小孔５ａを有する突出部５ｂの当該小孔５ａに、短い装飾用チェーン９の基端部９ａ（引き輪）をそれぞれ取り付け、揺動自在となすことも好適に行われる。
【００６１】
図１８は大柄の植物（花や草）のデザイン４が施されたデザイン本体部５の実施例を示している。このような場合、当該デザイン本体部５を別設するのではなく、円弧状バンド２と融合させて一体的に形成してもよい。
【００６２】
次に、図１９〜図２２に示した前方部着脱タイプの装飾体について説明する。
【００６３】
図１９は、前方部着脱タイプの装飾体の係止手段３として、円弧状バンド２の左右端部の両方がフック状係止部３Ａ、３Ｂに形成された実施形態を示しており、図２０〜２２は、円弧状バンド２の左右端部のいずれか一方がフック状係止部３Ａ又は３Ｂに形成された実施形態を示している。
【００６４】
まず図１９に示した装飾体の係止手段３は、前記の通り、当該円弧状バンド３の両端部において対向する左端部３０と右端部３１のそれぞれがフック状の係止部３Ａ、３Ｂに形成されている。これらフック状係止部３Ａ、３Ｂの構造は、上述した後部着脱タイプのフック状係止部３Ａ、３Ｂと基本的に同じであるが、左右いずれかのフック状係止部３Ａ又は３Ｂの方を、少しひねった形態が好ましい。
【００６５】
また、この前方部着脱タイプの装飾体は、帽子１の鍔部１ａの上面１ｃでフック状係止部３Ａ、３Ｂを支持しつつ取着できるため、円弧状バンド２の長さは長くても構わない。例えば、図示例の如く帽子１のクラウン部１ｄの下端部（１ｅ）における最大外周より長く形成する実施形態が採用される。
【００６６】
かくして、帽子１のクラウン部１ｄの後部１０から前方部１１に掛け渡された当該装飾体の円弧状バンド２は、帽子１の鍔部１ａの上面１ｃで、前記係止手段３の左右の各フック状係止部３Ａ、３Ｂ同士が、図１９Ｂに図示したように引掛け合って取着される。このフック状係止部３Ａ、３Ｂに、小さなデザイン本体部５を取り付け、帽子１の鍔部１ａの上面１ｃで装飾効果を図ることができる。なお、上述した内側フック部２６や引掛け具３４、３５を併用して帽子１への取着の補助としてもよい（以下の図２０〜２３のタイプにおいて同じ）。
【００６７】
もちろん、この引掛け合ったフック状係止部３Ａ、３Ｂを相互に離脱すれば、当該装飾体を帽子１から簡単に取り外すことができる。
【００６８】
これに対して、図２０〜図２２に示した装飾体の係止手段３は、前記の通り、円弧状バンド２の左右端部のいずれか一方がフック状係止部３Ａ又は３Ｂに形成された実施形態である。
【００６９】
図２０図示例の場合、上記図１９Ａ図示例の円弧状バンド２のように長く形成された円弧状バンド２の左端部３０だけがフック状係止部３Ａに形成され、右端部３１は直線状のままに形成されている。
【００７０】
したがって、当該左側のフック状係止部３Ａを、直線状の右端部３１近くの所望位置における外周に、直接引掛けて取着することにより固定できる。そして、この直線状の右端部３１の近傍に小さいデザイン本体部５・・・を取り付けて、帽子１の鍔部１ａの上面１ｃでの装飾を実現できる。一方、前記フック状係止部３Ａを、直線状の右端部３１から離脱すれば、当該装飾体を帽子１から簡単に取り外すことができる。
【００７１】
図２１図示例の場合、円弧状バンド２の右端部３１だけがフック状係止部３Ｂに形成されている。これに対し左端部３０の先端は球体３０ａに形成され、折曲して起立されている。
【００７２】
したがって、右側のフック状係止部３Ｂは、図２１Ｂに示したように、左端部３０の球体３０ａの直下部でうまく引掛かって楽に固定される。前記球体３０ａは、装飾の一部にもなる。また、円弧状バンド２の小孔２２・・・を利用して各種の小さなデザイン本体部５・・・を取り付けることができる。
【００７３】
さらに図２２に図示した係止手段３も採用可能である。全体がギザギザ形状（雷形状）のデザイン本体部５をなす円弧状バンド２の左端部３０の先端が、矢印状に形成されて折曲したフック状係止部３Ａとされている。他方の右端部３１の先端には貫通孔３１ａが穿設されており、この貫通孔３１ａに前記矢印状のフック状係止部３Ａが下方から挿通して取着（固定）されている。
【００７４】
図２３と図２４に示した異なる実施形態について説明する。
【００７５】
図２３に示した装飾体は、円弧状バンド２が帽子１のクラウン部１ｄの外周に取着されていると共に、帽子１の鍔部１ａの外周縁１ｂと略同じ長さの線材で形成された鍔部アクセサリー１ｆが、前記帽子１の鍔部１ａの外周縁１ｂに着脱自在に構成されている。鍔部アクセサリー１ｆは、鍔部１ａの外周縁１ｂより短い線材又は長い線材で形成してもよい。
【００７６】
この鍔部アクセサリー１ｆには、図２３Ｂに示したようにクリップ１ｇが内向きで複数設置されており、このクリップ１ｇが鍔部１ａの外側からその外周縁１ｂに対し着脱自在となっている。また、当該鍔部アクセサリー１ｆの左右の両端にはそれぞれ引き輪１ｈ、１ｈが取り付けられており、この引き輪１ｈが、円弧状バンド２における直近の小孔２２にそれぞれ取り付けられ（図２３Ａ）、鍔部１ａへの固定が前記クリップ１ｇと相俟って確実な構造となっている。この鍔部アクセサリー１ｆに、天然石やビーズ等の各種デザイン４が施されている。更には蛍光塗料や蓄光塗料、又はＬＥＤ等の発光体を施す形態でも実施される（図示は省略）。鍔部アクセサリー１ｆの材質は、シルバー製（銀製）や合成樹脂製、布製など様々な材質で実施可能である。なお、この鍔部アクセサリー１ｆと下記の鍔部アクセサリー１ｍは、各々単独で使用することもできる。
【００７７】
図２４に示した装飾体は、円弧状バンド２のクラウン部１ｄへの取着のほか、帽子１の鍔部１ａの上面１ｃの左右に渡って載置されるに十分な大きさの帯状に形成され、且つ鍔部１ａの外周縁１ｂに着脱自在な折曲状の端部クリップ１ｎ、１ｎを有する所定形状・大きさの鍔部アクセサリー１ｍ（図２４Ｂ）が、前記帽子１の鍔部１ａの上面１ｃに着脱自在に構成されている。この鍔部アクセサリー１ｍは、材質がシルバー製（銀製）や合成樹脂製、布製などで形成され、その表面に天然石やビーズ等で成る各種のデザイン４が施されており、これらに前記のように発光体を施す形態も好適に行われる。
【図面の簡単な説明】
【００７８】
【図１】Ａ、Ｂは後部着脱タイプの帽子に着脱自在な装飾体の帽子への取り付け状態を示した正面斜視図と背面斜視図である。
【００７９】
【図２】図１の円弧状バンドを示した全体図である。
【００８０】
【図３】円弧状バンドの帽子への取り着け要領を示した説明図である。
【００８１】
【図４】円弧状バンドの係止手段の異なる実施形態を示した説明図である。
【００８２】
【図５】円弧状バンドの係止手段の異なる実施形態を示した説明図である。
【００８３】
【図６】円弧状バンドを示した背面図である。
【００８４】
【図７】異なる円弧状バンドを示した背面図である。
【００８５】
【図８】装飾体の使用形態を示した説明図である。
【００８６】
【図９】装飾体の異なる使用形態を示した説明図である。
【００８７】
【図１０】円弧状バンドと装飾用チェーンの使用形態を示した説明図である。
【００８８】
【図１１】Ａ、Ｂは円弧状バンドの異なる係止要領を示した説明図である。
【００８９】
【図１２】円弧状バンドに取り着けられたデザイン本体部の実施形態を示した斜視図である。
【００９０】
【図１３】Ａ、Ｂはデザイン本体部の固定手段を示した説明図である。
【００９１】
【図１４】Ａ、Ｂは大型のデザイン本体部の円弧状バンドへの取り着け要領を示した正面斜視図と背面斜視図である。
【００９２】
【図１５】円弧状バンドに取り着けられた異なるデザイン本体部の例を示した斜視図である。
【００９３】
【図１６】円弧状バンドに取り着けられた異なるデザイン本体部の例を示した斜視図である。
【００９４】
【図１７】Ａ、Ｂは円弧状バンドに取り着けられた異なるデザイン本体部の例を示した正面斜視図と背面図である。
【００９５】
【図１８】円弧状バンドに取り着けられた異なるデザイン本体部の例を示した斜視図である。
【００９６】
【図１９】Ａ、Ｂは前方部着脱タイプの帽子に着脱自在な装飾体の帽子への取り付け状態を示した斜視図と係止手段部分の拡大図である。
【００９７】
【図２０】異なる前方部着脱タイプの装飾体の帽子への取り付け状態を示した斜視図である。
【００９８】
【図２１】Ａ、Ｂは異なる前方部着脱タイプの装飾体の帽子への取り付け状態を示した斜視図と係止手段部分の拡大図である。
【００９９】
【図２２】前方部着脱タイプのデザイン本体部の異なる係止手段を示した一部切欠の拡大図である。
【０１００】
【図２３】Ａ、Ｂは前方部着脱タイプの装飾体の異なる使用要領を示した斜視図と鍔部アクセサリーの全体図である。
【０１０１】
【図２４】Ａ、Ｂは前方部着脱タイプの装飾体の異なる使用要領を示した斜視図と異なる鍔部アクセサリーの裏面図である。
【符号の説明】
【０１０２】
１      帽子
１ａ    鍔部
１ｄ    クラウン部
１ｆ    鍔部アクセサリー
１ｍ    鍔部アクセサリー
１０    後部
１１    前方部
１２    切込部
１３    調節バンド
２      円弧状バンド
２０    後部
２２    小孔
２５    前方部
２６    内側フック部
３      係止手段
３０    左端部
３１    右端部
３Ａ    フック状係止部
３Ｂ    フック状係止部
４      デザイン
４０    付属デザイン体
５      デザイン本体部
５０    後部
６      長さ調節用チェーン
７      突出部
７ａ    小孔
８      長さ調節棒体
８ａ    フック部
８ｂ    止め金部
９      装飾用チェーン
１４    小物
１５    耳
１６    引掛け具
１７    外側フック部
【図１】
0003113854.tif 000003
【図２】
0003113854.tif 000004
【図３】
0003113854.tif 000005
【図４】
0003113854.tif 000006
【図５】
0003113854.tif 000007
【図６】
0003113854.tif 000008
【図７】
0003113854.tif 000009
【図８】
0003113854.tif 000010
【図９】
0003113854.tif 000011
【図１０】
0003113854.tif 000012
【図１１】
0003113854.tif 000013
【図１２】
0003113854.tif 000014
【図１３】
0003113854.tif 000015
【図１４】
0003113854.tif 000016
【図１５】
0003113854.tif 000017
【図１６】
0003113854.tif 000018
【図１７】
0003113854.tif 000019
【図１８】
0003113854.tif 000020
【図１９】
0003113854.tif 000021
【図２０】
0003113854.tif 000022
【図２１】
0003113854.tif 000023
【図２２】
0003113854.tif 000024
【図２３】
0003113854.tif 000025
【図２４】
0003113854.tif 000026